(57)【要約】【課題】釣り糸の撚りを確実に防止する。【解決手段】第１台座２１ｅ，２２ｅを有するフランジ部２１ｂ，２２ｂを互いに対面するように並べて、スピンドル２１，２２を保持筒２３に収納する。スピンドル２１は、円柱状のスピンドル本体２１ａと、フランジ部２１ｂと、ボール収納溝部２１ｃとで構成され、スピンドル２２も同様に構成されている。また、保持筒２３は、保持筒本体２７及び蓋体２８で構成されている。保持筒本体２７は、第１保持孔３１と、第２保持孔３２、及び第２台座３３を有している。蓋体２８は、第３保持孔３５と、第２台座３６とを有している。各第１台座２１ｅ，２２ｅと各第２台座３３，３６との間に複数のボール４１が収納され、これらの間で転動する。このため、スピンドル２１，２２と保持筒２３の軸心が一致し、スピンドル２１，２２が傾かずに滑らかに回転する。【選択図】図３
2008054593.tif 000002
【特許請求の範囲】
【請求項１】
一端部に釣り糸連結部を有し、他端部に第１台座を有する第１及び第２スピンドルと、
前記釣り糸連結部が外部にでるように前記他端部を対面させて前記第１及び第２スピンドルを並べて収納し、前記第１台座に対面する第２台座を有する保持筒と、
前記第１台座及び第２台座に転がり接触する複数のボールとを備えることを特徴とする撚り戻し器。
【請求項２】
前記第１及び第２スピンドルは、
円柱状のスピンドル本体と、
前記スピンドル本体よりも大径であり、前記他端部に形成されるフランジ部と、
前記スピンドル本体と前記フランジ部との間に形成され、前記ボールを収納するボール収納溝部とを有し、
前記釣り糸連結部は前記スピンドル本体の一端部に形成され、前記第１台座は前記ボール収納溝部を構成する前記フランジ部の一方の面から形成されることを特徴とする請求項１記載の撚り戻し器。
【請求項３】
前記保持筒は、保持筒本体及び蓋体から構成され、
前記保持筒本体は、前記スピンドル本体を回転自在に保持する第１保持孔と、前記第１保持孔よりも大径であり、前記フランジ部を回転自在に保持する第２保持孔と、前記第１保持孔及び第２保持孔を連結させる段部からなる前記第２台座とを有し、
前記蓋体は、前記スピンドル本体を回転自在に保持する第３保持孔と、前記第３保持孔に連続する段部からなる前記第２台座とを有することを特徴とする請求項２記載の撚り戻し器。
【請求項４】
前記蓋体は、前記第２保持孔内に挿入されるテーパ周面を有する第１軸部と、前記第１軸部に連続し、前記保持筒本体の前記第２保持孔の開放端部に係止される外径を持ち、テーパ周面を有する第２軸部とを備え、
前記保持筒本体内に、前記第１及び第２スピンドルと、前記ボールとを入れた状態で、前記保持筒本体に前記蓋体が載せられた後に、前記開放端部をかしめることにより、前記保持筒本体に前記蓋体を取り付けることを特徴とする請求項３記載の撚り戻し器。
【請求項５】
前記蓋体のかしめ加工により、前記第２軸部のテーパ周面と、前記保持筒本体のかしめ面とが略同一面にされることを特徴とする請求項４記載の撚り戻し器。
【請求項６】
前記第１台座及び第２台座は軸心に直交する基準線に対して５〜１５°傾くテーパ面とされていることを特徴とする請求項１ないし５のいずれか１項記載の撚り戻し器。
【請求項７】
前記釣り糸連結部は、釣り糸が連結される連結孔であることを特徴とする請求項１ないし６のいずれか１項記載の撚り戻し器。
【発明の詳細な説明】
【技術分野】
【０００１】
本発明は、釣り糸の撚りを防止するために用いる撚り戻し器に関する。
【背景技術】
【０００２】
従来、釣りの仕掛けにおいて、釣り糸の撚りを防止するために撚り戻し器（別名、サルカン、スイベル）が用いられている。この撚り戻し器は、例えば、道糸とハリスとの結合部に用いられ、釣り糸の撚りを防止している。この撚り戻し器は、釣り糸連結部が形成された一対の回転体が回転自在に連結されて構成されている。また、この一対の回転体の摩擦抵抗を軽減するために、これらと転がり接触するボール（例えば、鋼球）を設けて、一対の回転体を円滑に回転させる撚り戻し器が知られている（例えば、特許文献１及び２参照）。
【特許文献１】特開平８‐１１６８３８号公報
【特許文献２】特開平９−３０８４１７号公報
【発明の開示】
【発明が解決しようとする課題】
【０００３】
しかしながら、上記特許文献１及び２に記載の撚り戻し器では、一対の回転体の隣接部の隙間に釣り糸やその他の異物が挟まった時に回転体同士が互いに回転しなくなり、釣り糸に撚りが発生するという問題があった。また、従来のものは、釣り糸が連結される一対の回転体を回転自在に連結しているだけであり、船縁などに回転体の一方が接触すると、釣り糸に撚りが発生してしまうという問題もある。
【０００４】
本発明は、上記事情に鑑みてなされたものであり、釣り糸に撚りが発生することを確実に防止する撚り戻し器を提供する。
【課題を解決するための手段】
【０００５】
上記課題を解決するために、本発明の撚り戻し器は、一端部に釣り糸連結部を有し、他端部に第１台座を有する第１及び第２スピンドルと、前記釣り糸連結部が外部にでるように前記他端部を対面させて前記第１及び第２スピンドルを並べて収納し、前記第１台座に対面する第２台座を有する保持筒と、前記第１台座及び第２台座に転がり接触する複数のボールとを備えることを特徴とするものである。
【０００６】
また、前記第１及び第２スピンドルは、円柱状のスピンドル本体と、前記スピンドル本体よりも大径であり、前記他端部に形成されるフランジ部と、前記スピンドル本体と前記フランジ部との間に形成され、前記ボールを収納するボール収納溝部とを有し、前記釣り糸連結部は前記スピンドル本体の一端部に形成され、前記第１台座は前記ボール収納溝部を構成する前記フランジ部の一方の面から形成されることが好ましい。
【０００７】
さらに、前記保持筒は、保持筒本体及び蓋体から構成され、前記保持筒本体は、前記スピンドル本体を回転自在に保持する第１保持孔と、前記第１保持孔よりも大径であり、前記フランジ部を回転自在に保持する第２保持孔と、前記第１保持孔及び第２保持孔を連結させる段部からなる前記第２台座とを有し、前記蓋体は、前記スピンドル本体を回転自在に保持する第３保持孔と、前記第３保持孔に連続する段部からなる前記第２台座とを有することが好ましい。
【０００８】
また、前記蓋体は、前記第２保持孔内に挿入されるテーパ周面を有する第１軸部と、前記第１軸部に連続し、前記保持筒本体の前記第２保持孔の開放端部に係止される外径を持ち、テーパ周面を有する第２軸部とを備え、前記保持筒本体内に、前記第１及び第２スピンドルと、前記ボールとを入れた状態で、前記保持筒本体に前記蓋体が載せられた後に、前記開放端部をかしめることにより、前記保持筒本体に前記蓋体を取り付けることが好ましい。
【０００９】
さらに、前記蓋体のかしめ加工により、前記第２軸部のテーパ周面と、前記保持筒本体のかしめ面とが略同一面にされることが好ましい。また、前記第１台座及び第２台座は軸心に直交する基準線に対して５〜１５°傾くテーパ面とされていることが好ましい。さらに、前記釣り糸連結部は、釣り糸が連結される連結孔であることが好ましい。
【発明の効果】
【００１０】
本発明の撚り戻し器によれば、２つのスピンドルが保持筒によって回転自在に保持されているため、一方のスピンドルと保持筒の間に釣り糸が挟まって保持筒に対して回転できなくなった場合でも、他方のスピンドルが保持筒に対して回転することが可能であり、釣り糸の撚りを確実に防止することができる。また、第１台座と第２台座との間で複数のボールが転動するので、各スピンドルの軸心と保持筒の軸心とが一致し、各スピンドルが保持筒内で傾斜して回転することがなく、円滑に回転して撚り戻し効果が高い。
【００１１】
また、第１及び第２スピンドルは、フランジ部が互いに対面するように保持筒の第２保持孔に配置されるので、スピンドル毎に、フランジ部を回転自在に保持する保持孔を設けた場合と比べて、保持筒の内壁とスピンドルとが擦れることを軽減できる。
【００１２】
さらに、保持筒本体が、一方のスピンドル本体を回転自在に保持する第１保持孔と、２つのフランジ部を回転自在に保持する第２保持孔とを備え、蓋体が、他方のスピンドル本体を回転自在に保持する第３保持孔を備えているので、保持筒本体の一方の端部から２つのスピンドルと複数のボールを挿入することができる。このため、保持筒本体の両端部に蓋体を設ける場合と比べて、撚り戻し器の構成が簡略化され、製造コストを低減することが可能であり、強度も向上する。
【００１３】
また、蓋体の第２軸部が、第２保持孔の開放端部に係止されるため、蓋体の位置決めが容易であり、かしめ固定の作業性が向上する。さらに、蓋体がカシメ固定された後、第２軸部のテーパ周面と、かしめ面とが略同一面にされているので、これらの面間に段差が形成されて釣り糸が引っかかることを防止できる。
【発明を実施するための最良の形態】
【００１４】
図１に示す仕掛け１０において、撚り戻し器１１を介して、道糸１２の一端とハリス１３の一端とが接続されている。道糸１２の他端は、釣り竿（図示せず）の先端に結ばれている。なお、道糸１２の他端が、釣り竿の複数のガイドを挿通され、リールのスプールに巻き付けられていても良い。
【００１５】
また、ハリス１３の他端には、釣り針１４が結び付けられている。さらに、道糸１２には、ゴム管１５が挿通されており、浮き１６の下端部分１６ａが、このゴム管に挿通されて、浮き１６が道糸１２に固定されている。また、ハリス１３には、重り（例えば、ガン玉）１７が取り付けられている。なお、道糸１２及びハリス１３としては、合成繊維、例えば、ナイロン製のものが使用される。
【００１６】
次に、撚り戻し器１１の構成を説明する。図２に示すように、撚り戻し器１１は、２つの回転体であるスピンドル２１，２２と、これらを回転自在に保持する保持筒２３と、スピンドル２１に取り付けられたリング２４と、スピンドル２２に取り付けられたリング２５とで構成されている。各リング２４，２５には、道糸１２またはハリス１３の一端が結束される。これらのスピンドル２１，２２、保持筒２３、及びリング２４，２５は、例えば、ステンレスで形成されている。なお、これらを他の材質で形成しても良い。
【００１７】
次に、撚り戻し器１１の内部構成について説明する。なお、以下の説明にて使用する図３〜図５の図面において、図面が煩雑化しないように、リング２４，２５の図示を省略する。図３に示すように、第１のスピンドル２１は、スピンドル本体２１ａと、フランジ部２１ｂと、ボール収納溝部２１ｃとで構成されている。スピンドル本体２１ａは円柱形状にされており、一端部に、釣り糸連結部である連結孔２１ｄが形成されている。この連結孔２１ｄは、面取りが施されている。また、フランジ部２１ｂは、スピンドル本体２１ａの他端部に形成され、スピンドル本体２１ａよりも外径が大きくされている。
【００１８】
また、ボール収納溝部２１ｃは、スピンドル本体２１ａとフランジ部２１ｂとの間に形成され、後述するように、複数のボール４１が収納される。また、フランジ部２１ｂの内面側には、第１台座２１ｅが形成されている。この第１台座２１ｅは、中心に向かって厚みが増加するようにテーパ面で形成されており、スピンドル２１ａの軸心に直交する基準線ＬＡとのなす角度θが、５〜１５°程度、例えば、１０°にされている。この第１台座２１ｅは、ボール収納溝部２１ｃの一部を構成している。
【００１９】
また、第２のスピンドル２２は、第１のスピンドル２１と同様の形状であり、スピンドル本体２２ａと、フランジ部２２ｂと、ボール収納溝部２２ｃとで構成され、スピンドル本体２１ａは円柱形状にされており、一端部に連結孔２１ｄが形成されている。また、フランジ部２２ｂの内面側にも、第１台座２２ｅが形成されている。
【００２０】
また、保持筒２３は、保持筒本体２７と、蓋体２８とで構成されている。保持筒本体２７は、第１保持孔３１と、第２保持孔３２と、第２台座３３とを有している。第１保持孔３１は、スピンドル本体２２ａを回転自在に保持し、第２保持孔３２は、第１保持孔３１よりも大径であり、フランジ部２１ｂ，２２ｂを回転自在に保持する。また、第２台座３３は、第１保持孔３１及び第２保持孔３２を連結する段部であり、スピンドル２２の軸心に直交する基準線ＬＡとのなす角度θが、５〜１５°程度、例えば、１０°のテーパ面にされている。つまり、第２台座３３は、スピンドル２２と保持筒２３の軸心が略一致している時に、第１台座２２ｅと略平行となるテーパ面で形成されている。
【００２１】
また、蓋体２８は、第３保持孔３５と、第２台座３６とを有している。第３保持孔３５は、スピンドル本体２１ａを回転自在に保持する。また、第２台座３６は、第３保持孔３５に連続する段部であり、前述の第２台座３３と同様に、スピンドル２１の軸心に直交する基準線ＬＡとのなす角度θが、５〜１５°程度、例えば、１０°のテーパ面にされている。つまり、第２台座３６は、スピンドル２１と保持筒２３の軸心が略一致している時に、第１台座２１ｅと略平行となるテーパ面で形成されている。
【００２２】
フランジ部２１ｂ，２２ｂは、互いに対面するように第１保持孔３１内に配置される。また、スピンドル本体２２ａは、第１保持孔３１から一部が突出するように配置され、スピンドル本体２１ａは、第３保持孔３５から一部が突出するように配置される。このため、スピンドル２１，２２は、保持筒２３によって回転自在に保持される。
【００２３】
また、各ボール収納溝部２１ｃ，２２ｃには、複数のボール（例えば、鋼球）４１が収納される。なお、このボール４１は、鋼球に限るものではなく、球体であれば他の材質で形成しても良い。スピンドル２１側のボール４１は、第１台座２１ｅと第２台座３６との間で転動する。また、スピンドル２２側のボール４１は、第１台座２２ｅと第２台座３３との間で転動する。なお、ボール４１の個数は、円周方向での移動量が大きくならない程度の個数、例えば、各スピンドル２１，２２に対して、５〜７個配置されている。このため、スピンドル２１，２２の軸心と保持筒２３の軸心とが略一致し、スピンドル２１，２２が保持筒２３内で傾斜して回転することがなく、回転が円滑になる。なお、ボール４１の個数は、５〜７個に限るものではなく、適宜変更可能である。
【００２４】
また、第１保持孔３１の長手方向の寸法Ｌ１は、２つのフランジ部２１ｂ，２２ｂの厚みと、２個のボール４１の直径とを合計した寸法よりも大きくされている。このため、スピンドル２１，２２は、図４に示すように、保持筒２３の長手方向（矢印Ａ方向）に移動自在にされている。撚り戻し器１１は、図４に示す使用状態において、スピンドル２１，２２に対して引っ張り荷重がかかると、第１台座２１ｅ，２２ｅ及び第２台座３３，３６は、前述したようにテーパ面で形成されているため、スピンドル２１，２２の軸心同士が一直線状となり、且つ保持筒２３の軸心とも略一致する。
【００２５】
従来の撚り戻し器のように、ボールを有しないタイプのものでは、魚が釣れて各スピンドルの両端に荷重が掛かった時に、面接触であるため、スピンドルと保持筒との間の摩擦抵抗が高くなってスピンドルが回転しなくなり、釣り糸に撚りが生じて切断する危険がある。しかし、撚り戻し器１１を上記構成にすることによって、荷重が掛かった場合に、スピンドル２１，２２と保持筒２３とが、ボール４１、第１台座２１ｅ，２２ｅ、及び第２台座３３，３６で支持されるだけであり、ボール４１以外にこれら３者が接することがないため、円滑な回転が得られて撚り戻し効果が高くなる。このため、スピンドル２１，２２の両端に荷重が掛かった場合でも、釣り糸が撚れて切断することを確実に防止することができる。
【００２６】
さらに、各フランジ部２１ｂ，２２ｂの直径は、ボール収納溝部２１ｃ，２２ｃの最小径と、２個のボール４１の直径との合計よりも小さくされており、各フランジ部２１ｂ，２２ｂが収納部３０の壁面に擦れることが防止されている。
【００２７】
前述したように、スピンドル２１，２２が、保持筒２３によって回転自在に保持されているため、スピンドル２１，２２の一方と保持筒２３との間に釣り糸が挟まって保持筒２３に対して回転できなくなった場合でも、他方が保持筒２３に対して回転することが可能である。
【００２８】
また、スピンドル２１，２２は、フランジ部２１ｂ，２２ｂが互いに対面するように、第２保持孔３２内に配置されているので、各スピンドル２１，２２に対して、各フランジ部２１ｂ，２２ｂを保持する保持孔を設けた場合と比べて、保持筒２３とスピンドル２１，２２との擦れを軽減できる。
【００２９】
次に、蓋体２８の固定方法について説明する。蓋体２８は、図５に示すように、第１軸部５１と、第２軸部５２とを有している。第１軸部５１は、テーパ周面５１ａを有し、第２保持孔３２内に挿入される。また、第２軸部５２は、第１軸部５１に連設され、前述のテーパ周面５１ａと略同じ角度のテーパ周面５２ａを有している。この第２軸部５２は、第２保持孔３２の縁部、すなわち、保持筒本体２７の開放端部５３に係止される外径を有している。また、前述の第２台座３６は、この第１軸部５１の下端部に形成され、第３保持孔３５は、蓋体２８の中央部に形成されている。
【００３０】
保持筒本体２７内に、スピンドル２１，２２と、ボール４１を入れた状態で、図５（Ａ）に示すように、スピンドル本体２１ａを第３保持孔３５に挿通させ、且つ第１軸部５１が第２保持孔３２内に挿入されるように、蓋体２８を保持筒本体２７に載せる。この時、第２軸部５２が、開放端部５３によって係止されて蓋体２８が位置決めされる。このように、蓋体２８の位置決めを容易に行うことができるので、かしめ固定の作業性が向上する。
【００３１】
その後、図５（Ｂ）に示すように、開放端部５３に対して、外周側から中心方向（矢印Ｂ方向）に力を加えることによって、開放端部５３をすぼめて、保持筒本体２７に蓋体２８をかしめ固定する。この時、かしめ治具を回転させながら加工させることにより、略均一に、かしめ加工が行える。
【００３２】
また、蓋体２８をかしめ固定した時に、開放端部５３のかしめ面５３ａとテーパ周面５２ａとが略同一面にされている。このため、かしめ面５３ａとテーパ周面５２ａとの間に段差が形成されないので、この段差に釣り糸が引っ掛かることを防止できる。
【００３３】
前述したように、２つのスピンドル２１，２２及び複数のボール４１を挿入するための開放端部５３が保持筒本体２７の一方にのみ形成されているので、保持筒本体２７の両端に開放端部を形成する場合と比べて構成が簡略化され、製造コストを低減することができるとともに、撚り戻し器１１の強度も向上できる。
【００３４】
なお、上記実施形態において、釣り糸連結部として、釣り糸が連結される連結孔を設ける場合を例に説明を行ったが、これに限るものではなく、連結孔の代わりに、フックや、その他の釣り糸が固定される形状のものでも良い。
【００３５】
また、上記実施形態において、リングを連結孔に設けて、このリングに釣り糸を結束する場合を例に説明を行ったが、リングを設けずに、釣り糸を連結孔に結束しても良いし、リングの代わりにスナップを設けて、スナップ付き撚り戻し器にしても良い。
【００３６】
さらに、上記実施形態において、釣り糸として、合成繊維であるナイロン製のものを用いる場合を例に説明を行ったが、これに限らず、フロロカーボン製や、金属製でも良く、さらに、単線の他に単線を複数本撚り合わせた撚り線でも良い。
【００３７】
また、上記実施形態において、本発明の撚り戻し器を浮き釣り用の仕掛けに用いる場合を例に説明したが、撚り戻し器をトローリング用やその他の漁労用の仕掛けに用いても良い。この場合には、ワイヤーの先端を撚り戻し器に接続しても良い。また、１つの仕掛けに複数の撚り戻し器を設けても良い。
【００３８】
さらに、上記実施形態において、本発明の撚り戻し器を釣りの仕掛けに適用した場合を例に説明を行ったが、これに限るものではなく、例えば、工事現場等で使用されるワイヤーや縄の撚り戻し器や、各種ストラップ用の撚り戻し器に適用しても良い。
【図面の簡単な説明】
【００３９】
【図１】釣り用の仕掛けを示す正面図である。
【図２】撚り戻し器の外部構成を示す正面図である。
【図３】撚り戻し器の内部構成を示す縦断面である。
【図４】スピンドルの移動を示す撚り戻し器の縦断面である。
【図５】蓋体の固定方法を示す保持筒の縦断面図である。
【符号の説明】
【００４０】
１０  仕掛け
１１  撚り戻し器
１２  道糸
１３  ハリス
２１，２２  スピンドル
２１ａ，２２ａ  スピンドル本体
２１ｂ，２２ｂ  フランジ部
２１ｃ，２２ｃ  ボール収納溝部
２１ｄ，２２ｄ  連結孔
２１ｅ，２２ｅ  第１台座
２３  保持筒
２７  本体
２８  蓋体
３１  第１保持孔
３２  第２保持孔
３３，３６  第２台座
３５  第３保持孔
４１  ボール
５１  第１軸部
５２  第２軸部
５１ａ，５２ａ  テーパ周面
５３  開放端部
５３ａ  かしめ面
【図１】
2008054593.tif 000003
【図２】
2008054593.tif 000004
【図３】
2008054593.tif 000005
【図４】
2008054593.tif 000006
【図５】
2008054593.tif 000007